(57)【要約】【課題】各種のデータを任意の形状のカラードットコード画像に変換して基の各種のデータの管理を行い、共通言語としてのピボット画像やヘッダを付加したカラードットコード画像を構築し、自動翻訳、データの部分選択抽出を可能とし、また、メッセージを埋め込んだシールやアクセサリを作成するシステムを提供すること。【解決手段】各種のデータをカラーコード列で表し、該カラーコード列に対応したカラードットコード画像を生成し、該カラードットコード画像を基にテンプレートなどによる複数のデータの一元管理システムやオペレーティングシステム、各国語を共通言語に変換し、該共通言語からカラードットコード画像を生成してピボット画像とし、ヘッダを埋め込んだカラードットコード画像によるデータの部分選択抽出可能なホームページ、カラーコード列を基にしたメッセージを埋め込んだシールやアクセサリを作成することを実現する。【選択図】    図１
2005222512.tif 000002
【特許請求の範囲】
【請求項１】
各種のデータから任意の形状のカラーのドット画像を生成し、該カラーのドット画像を用いて基の各種のデータを管理するシステムであって、各種のデータをカラーコード列で表し、該カラーコード列の各カラーコードにカラーのドットを対応させて任意の形状のカラーのドット画像を生成する手段と、該カラーのドット画像から基の各種のデータを復元する手段と、該カラーのドット画像の複数個を、一つのテンプレート上に貼り付けることにより、複数のデータ、複数の種類の異なるデータをテンプレートファイルをベースに一元管理する手段と、該カラーのドット画像を用いて基の各種のデータ管理を行う手段と、を備えたことを特徴とする、カラードットコードシステム。
【請求項２】
請求項１に記載のカラードットコードシステムを基本機能として備えたことを特徴とする、コンピュータのオペレーティングシステム。
【請求項３】
日本語や英語やスペイン語などの各国語の言語で書かれたテキストデータを共通の言語としてのピボットのカラードットコード画像に変換して、該ピボットのカラードットコード画像でテキストデータを管理するシステムであって、日本語や英語やスペイン語などの各国語の言語で書かれたテキストデータを共通の言語としてのピボットに変換する手段と、該ピボットをカラードットコード画像に変換する手段と、該カラードットコード画像から各国語のテキストデータを復元する手段と、該カラードットコード画像で各国語のテキストデータを管理する手段と、を備えたことを特徴とする、請求項１記載のカラードットコードシステム。
【請求項４】
前記、カラードットコード画像は複数のデータの集合から生成され、復元する場合には各人に見合ったデータが復元されるシステムであって、複数の各種のデータにヘッダ情報を付加したデータをひとかたまりのデータとして、カラードットコード画像を生成する手段と、該カラードットコード画像を復元する時は、ヘッダ情報をまず復元し、復元されたヘッダ情報と利用者の入力情報に基づいて、複数のデータのうちの一部分のデータを復元する手段と、を備えたことを特徴とする、請求項１記載のカラードットコードシステム。
【請求項５】
前記、カラードットコード画像を紙などに印刷したり描画し、メーセージと画像という二つの側面を有するシールやカードやチラシ、ポスターなどを作成するシステムであって、該メッセージのカラーコード列を生成する手段と、該カラーコード列を任意の形状のドット画像の各ドットにマッピングしたカラードットコード画像を生成する手段と、該カラードットコード画像の各ドットの大きさおよび、ドットとドットの間隔を制御して印刷したり描画することにより、メーセージと画像という二つの側面を有するシールやカードやチラシ、ポスターなどを作成する手段と、を備えたことを特徴とする、請求項１記載のカラードットコードシステム。
【請求項６】
前記、カラードットコード画像を各ドットに対応した色のついたガラス玉とか石の玉とかの各種の玉を用いたり、糸や繊維などを用いて、メッセージが埋め込まれたアクセサリや各種の服を構築するシステムであって、該メッセージのカラーコード列を生成する手段と、該カラーコード列を、色のついたガラス玉とか石の玉とかの各種の玉を用いたり、糸や繊維などを用いて構築する手段と、を備えたことを特徴とする、請求項１記載のカラードットコードシステム。
【請求項７】
請求項１、請求項２、請求項３、請求項４、請求項５、請求項６、に記載のカラードットコードシステムを、コンピュータにおいて実現するためのプログラム。
【発明の詳細な説明】
【技術分野】
【０００１】  本発明は、各種のデータをカラーコード列で表し、これを基に任意形状のカラーのドット画像に変換して、基の各種のデータに容易に復元が可能な画像として記録保存し、また管理する方法に係り、コンピュータ内部では、該カラーのドット画像を用いて各種のデータを管理し、また、該カラーのドット画像に基づくデータ管理機能を基本機能として有するオペレーティングシステムを構築し、また、紙などの各種の媒体に印刷記録する場合には、該カラーのドット画像の各ドットの大きさおよびドットとドットの間隔を制御して印刷したり描画することにより、画像としての顔と基のデータという二つの顔を持っている画像として、シールやカードやチラシ、ポスターなどとして利用し、また、各ドットに対応した色のついたガラス玉とか石の玉とかの各種の玉を用いたり、糸や繊維などを用いて、メッセージが埋め込まれたアクセサリや各種の服などの物を構築することを可能とする、カラードットコードシステムに関する。
【背景技術】
【０００２】  今日、コンピュータが普及し、各種のデータはほとんど全てが、コンピュータで作成され、コンピュータの内部で管理されている。そして、このコンピュータの内部の各種のデータは非常に膨大な量になってきており、さらに、ネットワークの普及とともに、これらのデータが多くの人で共有されて利用されるようになってきている。また、インターネットのホームページが世界的に広がってきており、情報はすべてインターネットから取得するようになってきている。そこで、ホームページの構築の方法が、重要になってきている。即ち、世界の人からホームページを見てもらうためには、自国語で書いたホームページだけでなく、他国の言語で記述するホームページが必要となる。また、女性・男性・学生・会社員など、それぞれの人に見合って選択できるホームページも必要になってきている。さらに、自国語で記述した文書を他国の人に送って、他国の人が自国語で見れることも必要になってきている。
【発明の開示】
【発明が解決しようとする課題】
【０００３】  しかしながら、現在のコンピュータでのデータ管理は、フォルダ（ディレクトリ）やファイルの名前や、ファイルの拡張子で管理するのが一般的であり、大量のデータの管理では、これだけでは不十分である。また、ホームページは世界の人が見るが、例えば、日本語のホームページは他国の人が見ても理解出来ない。従って、世界の人に自分の作ったホームページを見てもらおうとすると、英語・中国語・スペイン語などなど、あらゆる国の言語でホームページをたくさん作らなければならなくなってしまう。また、例えば、日本語で記述した文書を外国に送って、外国のコンピュータで該文書を開くと、文字化けして、意味のない記号が羅列して表示されてしまう。また、１８歳以上とか未満とか、男性とか女性とか、趣味の違いによって、それぞれに適したデータを取得したいが、そのようなホームページは作るのが大変で、また、見る側からみても、手順が複雑になってしまう。【０００４】  そこで本発明は上記事情に鑑みて、各種のデータをカラードットコード画像に変換して、該カラードットコード画像を用いて基の各種のデータ管理を行うシステム、また、該カラードットコード画像を基本機能として有するオペレーティングシステム、また、ホームページを該カラードットコード画像を用いて作成することが可能となるシステムを提供することを目的とする。
【課題を解決するための手段】
【０００５】  上記目的を達成するために、本発明のカラードットコードシステムは、文書や音声などの各種のデータを、カラーコード列で表し、該カラーコード列の各カラーコードにカラーのドットを対応させて任意の形状のカラーのドット画像を生成し、容易に基の各種のデータが復元可能とし、該カラーのドット画像の複数個を、一つのテンプレート上に貼り付けることにより、複数のデータ、複数の種類の異なるデータを一元管理する手段を備え、また、日本語とか英語などの各国語の言語で書かれたテキストデータを共通の言語としてのピボットに変換し、該ピボットを該カラーのドット画像に変換して、コンピュータ内部では該カラーのドット画像でテキストデータを管理する手段を備え、また、複数の各種のデータにヘッダ情報を付加したデータをひとかたまりのデータとして、カラーのドット画像を生成し、これを復元するソフトウェアは、ヘッダ情報をまず復元し、復元されたヘッダ情報と利用者の入力情報に基づいて、複数のデータのうちの一部分のデータを復元することが可能となる手段を備え、紙などに印刷したり描画する場合には、各ドットの大きさおよび、ドットとドットの間隔を制御して印刷したり描画することにより、メーセージと画像という二つの側面を有するシールやカードやチラシ、ポスターなどを作成する手段を備え、また、各ドットに対応した色のついたガラス玉とか石の玉とかの各種の玉を用いたり、糸や繊維などを用いて、メッセージが埋め込まれたアクセサリや各種の服などの物を構築する手段を備えるように構成したものである。【０００６】  上記構成により、文書や音声などの各種のデータを、カラーコード列で表し、該カラーコード列の各カラーコードにカラーのドットを対応させて任意の形状のカラーのドット画像を生成し、容易に基の各種のデータが復元可能とし、該カラーのドット画像の複数個を、一つのテンプレート上に貼り付けることにより、複数のデータ、複数の種類の異なるデータの一元管理が容易に実現され、また、日本語とか英語などの各国語の言語で書かれたテキストデータを共通の言語としてのピボットに変換し、該ピボットを該カラーのドット画像に変換して、コンピュータ内部では該カラーのドット画像でテキストデータを管理することにより、例えば、日本語で書いた文書のピボット画像を外国の人に送ることにより、外国の人は自国語に復元された文書を見ることが実現が可能となり、また、複数の各種のデータにヘッダ情報を付加したデータをひとかたまりのデータとして、カラーのドット画像を生成し、これを復元するソフトウェアは、ヘッダ情報をまず復元し、復元されたヘッダ情報と利用者の入力情報に基づいて、複数のデータのうちの一部分のデータを復元することにより、例えば、ホームページ上のカラードット画像をクリックした場合、男性の人は男性に見合った情報が復元され、女性の人は女性に見合った情報が復元されるということが実現が可能となり、紙などに印刷したり描画する場合には、各ドットの大きさおよび、ドットとドットの間隔を制御して印刷したり描画することにより、メーセージと画像という二つの側面を有するシールやカードやチラシ、ポスターなどを作成することが実現され、また、各ドットに��応した色のついたガラス玉とか石の玉とかの各種の玉を用いたり、糸や繊維などを用いて、メッセージが埋め込まれたアクセサリや各種の服などの物を構築するということが実現が可能となる。
【発明の効果】
【０００７】  以上説明したように、本発明のカラードットコードシステムによれば、文書や音声などの各種のデータを、カラーコード列で表し、該カラーコード列の各カラーコードにカラーのドットを対応させて任意の形状のカラーのドット画像を生成し、容易に基の各種のデータが復元可能とし、該カラーのドット画像の複数個を、一つのテンプレート上に貼り付けることにより、複数のデータ、複数の種類の異なるデータを一元管理する手段を備え、また、日本語とか英語などの各国語の言語で書かれたテキストデータを共通の言語としてのピボットに変換し、該ピボットを該カラーのドット画像に変換して、コンピュータ内部では該カラーのドット画像でテキストデータを管理する手段を備え、また、複数の各種のデータにヘッダ情報を付加したデータをひとかたまりのデータとして、カラーのドット画像を生成し、これを復元するソフトウェアは、ヘッダ情報をまず復元し、復元されたヘッダ情報と利用者の入力情報に基づいて、複数のデータのうちの一部分のデータを復元することが可能となる手段を備え、紙などに印刷したり描画する場合には、各ドットの大きさおよび、ドットとドットの間隔を制御して印刷したり描画することにより、メーセージと画像という二つの側面を有するシールやカードやチラシ、ポスターなどを作成する手段を備え、また、各ドットに対応した色のついたガラス玉とか石の玉とかの各種の玉を用いたり、糸や繊維などを用いて、メッセージが埋め込まれたアクセサリや各種の服などの物を構築する手段を備えるように構成したものであり、上記構成により、複数のデータ、複数の種類の異なるデータの一元管理が容易に実現され、また、日本語とか英語などの各国語の言語で書かれた文書が、自国語の言語に復元された文書を見ることが実現が可能となり、また、複数の各種のデータにヘッダ情報を付加したデータをひとかたまりのデータとして、カラーのドット画像を生成することにより、例えば、ホームページ上のカラードット画像をクリックした場合、男性の人は男性に見合った情報が復元され、女性の人は女性に見合った情報が復元されるということが実現が可能となり、また、メーセージと画像という二つの側面を有するシールやカードやチラシ、ポスターなどを作成することが実現され、また、各ドットに対応した色のついたガラス玉とか石の玉とかの各種の玉を用いたり、糸や繊維などを用いて、メッセージが埋め込まれたアクセサリや各種の服などの物を構築するということが実現されるという効果が得られる。
【発明を実施するための最良の形態】
【０００８】  各種のデータをカラーコード列で表し、これを基に任意形状のカラーのドット画像に変換して、基の各種のデータに容易に復元が可能な画像として記録保存し、また管理し、コンピュータ内部では、該カラーのドット画像を用いて各種のデータを管理し、また、該カラーのドット画像に基づくデータ管理機能を基本機能として有するオペレーティングシステムを構築し、また、紙などの各種の媒体に印刷記録する場合には、該カラーのドット画像の各ドットの大きさおよびドットとドットの間隔を制御して印刷したり描画することにより、画像としての顔と基のデータという二つの顔を持っている画像として、シールやカードやチラシ、ポスターなどとして利用し、また、各ドットに対応した色のついたガラス玉とか石の玉とかの各種の玉を用いたり、糸や繊維などを用いて、メッセージが埋め込まれたアクセサリや各種の服などの物を構築することを可能とする、カラードットコードシステムの形態。
【実施例１】
【０００９】  図１は、本発明の実施形態に係る、各種のデータを任意形状のカラーのドット画像に変換して、該カラーのドット画像を用いて各種のデータを管理する、コンピュータ内部でのデータ管理システムのブロック図である。以下図１を用いて説明してゆく。【００１０】  図１で、コンピュータ内部でのカラーのドット画像に基づくデータ管理機能Ｆ１により、各種のデータＤ１をカラーのドット画像として管理するとともに、ネットワークＰ６を経由して、外部からのカラーのドット画像を受信管理するとともに、内部のカラーのドット画像を外部へ送信管理を行う。まず、各種のデータＤ１を、必要ならば、ピボット変換処理Ｐ１により、ピボットに変換し、該各種のデータＤ１あるいは該ピボット変換された各種のデータを、カラードット画像変換処理部Ｐ２により、カラードット画像Ｄ２を生成する。該カラードット画像Ｄ２は、カラードット画像復元処理部Ｐ３により、基の各種のデータＤ１に復元される。次に、該カラードット画像Ｄ２は、カラードット画像データ管理部Ｐ４により、他のカラードット画像とともに、テンプレートＤ３に貼り付けられるなどの処理を施されて、他のカラードット画像とともに、一元管理がなされる。次に、該カラーのドット画像Ｄ２は、必要に応じて、カラードット画像送受信部Ｐ５により、ネットワークＰ６を経由して、外部のコンピュータに送信される。また同様にして、ネットワークＰ６を経由して、外部からのカラーのドット画像を受信管理を行う。
【実施例２】
【００１１】  図２は、ソフトウェア開発におけるプログラム開発管理ををカラードット画像を用いて行う方式の例を示した図である。図２で、プログラム一式Ｄ４の構成要素としての仕様書Ａ、Ｂ、Ｃ、プログラムＡ、Ｂ、Ｃ、がカラードット画像Ｄ５に変換され、テンプレートによるデーター元管理処理Ｐ７により、テンプレートＤ６に貼り付けられて一つのファイルデータとして一元管理がなされることとなる。これにより、プログラム一式Ｄ４の一部が更新されると、それが最終的にテンプレートＤ６に反映されることにより、プログラム一式が更新されたということが明らかとされることとなる。
【実施例３】
【００１２】  図３は、日本語とか英語などの各国語の言語で書かれたテキストデータを共通の言語としてのピボットに変換し、該ピボットを該カラーのドット画像に変換して、コンピュータ内部では該カラーのドット画像でテキストデータを管理する方式の例を示した図である。図３で、日本語、英語、スペイン語などの各国語で作成された文書Ｄ７は、共通言語（ピボット）変換処理Ｐ８により、ピボットのカラードット画像Ｄ８に変換される。次に、該ピボットのカラードット画像Ｄ８が、ネットワーク通信などにより他国のコンピュータに送信され、他国のコンピュータの共通言語（ピボット）復元処理Ｐ９により、他国の言語の文書Ｄ９に復元されることとなる。
【実施例４】
【００１３】  図４は、複数の各種のデータにヘッダ情報を付加したデータをひとかたまりのデータとして、カラーのドット画像を生成することにより、例えば、ホームページ上のカラードット画像をクリックした場合、男性の人は男性に見合った情報が復元され、女性の人は女性に見合った情報が復元されるという方式の例を示した図である。図４で、ホームページＤ１０の中の、該各種のデータにヘッダ情報を付加したひとかたまりのデータのカラードット画像Ｄ１０ａをクリックして、復元プログラムＰ１０を用いて復元することにより、各人に見合った情報Ｄ１１が復元されることとなる。
【実施例５】
【００１４】  次に本発明の第５の実施形態の、カラードットコードシステムを用いた、メッセージを埋め込んだシールやアクセサリについて説明する。図５は、本発明の実施形態に係る、メッセージを埋め込んだシールやアクセサリの作成システムのブロック図である。以下図５を用いて説明してゆく。【００１５】  まず、任意の形状の画像を、ドットを用い、各ドットの大きさを任意に定めて、ドット画像Ｄ１２を作成する。また、各種のデータＤ１３をカラーコード列Ｄ１４に変換する。  次に、マッピンッグ処理Ｐ１１により、該任意の形状のドット画像Ｄ１２の各ドットに、該カラーコード列Ｄ１４の各カラーコードを対応させる。このマッピング処理Ｐ１１により、該各種のデータの任意の形状のカラーのドット画像Ｄ１５が生成される。そして、該任意の形状のカラーのドット画像Ｄ１５を用いて、ガラスの玉とか石の玉とか各種の色のついた玉を各ドットに対応させて、アクセサリＤ１６を作成する。また、該任意の形状のカラーのドット画像Ｄ１５を印刷制御Ｐ１２により、各ドットの大きさおよびドットとドットの間隔を制御して、シールＤ１７として印刷する。【００１６】  図６は、任意の形状のカラーのドット画像にカラーコード列をマッピングすることにより、各種のデータの任意の形状のカラーのドット画像を生成する方式の例を示した図である。図６で、任意の形状のカラーのドット画像Ｄ１８とメッセージのカラーコード列Ｄ１９を、マッピング処理Ｐ１３により、該任意の形状のカラーのドット画像Ｄ１８の各ドットに、該カラーコード列のカラーの色を対応させることにより、メッセージを埋め込んだ画像のシールＤ２０が生成される。【００１７】  図７は、メッセージのカラーコード列をマッピングすることにより、メッセージを埋め込んだネックレスなどのアクセサリを構築する方式の例を示した図である。図７で、メッセージＤ２１のカラーコード列Ｄ２２をネックレスの各々の宝石の玉の色にマッピングさせることにより、メッセージを埋め込んだネックレスＤ２３が生成される。
【図面の簡単な説明】
【００１８】
【図１】  本発明の実施形態に係る、カラーのドット画像を用いて各種のデータを管理する、コンピュータ内部でのデータ管理システムのブロック図である。
【図２】  本発明の実施形態に係る、ソフトウェア開発におけるプログラム開発管理ををカラードット画像を用いて行う方式の例を示した図である。
【図３】  本発明の実施形態に係る、各国語のテキストデータを共通の言語としてのピボットのカラードット画像に変換し、該ピボットのカラードット画像で各国語のテキストデータを管理する方式の例を示した図である。
【図４】  本発明の実施形態に係る、複数の各種のデータにヘッダ情報を付加したデータをひとかたまりのデータとして、カラーのドット画像を生成し、ホームページで各人に見合った情報が復元されるという方式の例を示した図である。
【図５】  本発明の実施形態に係る、メッセージを埋め込んだシールやアクセサリの作成システムのブロック図である。
【図６】  本発明の実施形態に係る、任意の形状のカラーのドット画像にカラーコード列をマッピングすることにより、各種のデータの任意の形状のカラーのドット画像を生成する方式の例を示した図である。
【図７】  本発明の実施形態に係る、メッセージのカラーコード列をマッピングすることにより、メッセージを埋め込んだネックレス等のアクセサリを構築する方式の例を示した図である。
【符号の説明】
【００１９】Ｄ１  各種のデータ
Ｄ２  カラードット画像
Ｄ３  テンプレート
Ｄ４  プログラム一式
Ｄ５  カラードット画像
Ｄ６  テンプレート
Ｄ７  各国語で作成された文書
Ｄ８  ピボットのカラードット画像
Ｄ９  他国の言語の文書
Ｄ１０  ホームページ
Ｄ１０ａ  ヘッダ情報を付加したひとかたまりのデータのカラードット画像
Ｄ１１  各人に見合った情報
Ｄ１２  任意形状で各ドットが任意の大きさのドット画像
Ｄ１３  各種のデータ
Ｄ１４  カラーコード列
Ｄ１５  各種のデータの任意の形状のカラーのドット画像
Ｄ１６  アクセサリ
Ｄ１７  シール
Ｄ１８  任意の形状のカラーのドット画像
Ｄ１９  メッセージのカラーコード列
Ｄ２０  メッセージを埋め込んだ画像のシール
Ｄ２１  メッセージ
Ｄ２２  メッセージのカラーコード列
Ｄ２３  メッセージを埋め込んだネックレス
Ｆ１  カラーのドット画像に基づくデータ管理機能
Ｐ１  ピボット変換処理
Ｐ２  カラードット画像変換処理部
Ｐ３  カラードット画像復元処理部
Ｐ４  カラードット画像データ管理部
Ｐ５  カラードット画像送受信部
Ｐ６  ネットワーク
Ｐ７  テンプレートによるデータ一元管理処理
Ｐ８  共通言語（ピボット）変換処理
Ｐ９  共通言語（ピボット）復元処理
Ｐ１０  復元プログラム
Ｐ１１  マッピンッグ処理
Ｐ１２  印刷制御
【図１】
2005222512.tif 000003
【図２】
2005222512.tif 000004
【図３】
2005222512.tif 000005
【図４】
2005222512.tif 000006
【図５】
2005222512.tif 000007
【図６】
2005222512.tif 000008
【図７】
2005222512.tif 000009